(57)【要約】【課題】前後左右及び頂頭部の頭部全体の保護が可能であり、多くの部位ごとにサイズ調整することができ、着用者の圧迫感を軽減し、日常的に又は長時間かぶることを可能にした保護帽子を提供することを課題とする。【解決手段】  表地７と裏地８が縫合された袋状体の内部に均等厚さに衝撃吸収部材９を内装した保護部材からなる保護帽子であって、  前記保護部材は、額を含む前頭部を覆う前頭部材１０と、少なくとも後頭部を覆う後頭部材２０が前後縫製部分Ａで連結されて一体とした本体１と、それに接続される鍔部５０と、顎紐部３とから構成され、  前頭部材１０、後頭部材２０のそれぞれの部材には、奥が略楕円に開口する切込み１４、２４により分離された翼状の左右の係止翼１３、２３が形成されて、着用者の頭部の形状寸法に合わせてサイズ形状を調整可能にされると共に、保護部材の重複部分と、前後左右の切込みによる開口部分が形成されていることを特徴とする。【選択図】図２
2006124875.tif 000002
【特許請求の範囲】
【請求項１】
表地と裏地の間に衝撃吸収部材のある保護部材からなる保護帽子であって、
額を含む前頭部を覆う前頭部材と、後頭部を覆う後頭部材が前後連結されて一体化された本体と、それに接続される鍔部と、顎紐部とから構成され、
前頭部材、後頭部材のそれぞれの部材には、開口する複数の切込みにより区画された翼状の左右の係止翼が形成されて、
着用者の頭部の形状寸法に合わせて係止翼を対向する前頭部材および／あるいは後頭部材または対向する係止翼のそれぞれと調整可能に結合され、
保護部材の重複部分形成と共に前後左右の切込みによる複数の開口部分が形成されていることを特徴とする保護帽子。
【請求項２】
前記前頭部材の左右の係止翼は前頭部材の両側端部より頭頂部に向かって開口する二つの切込みで区画されて先端額部に形成され、左右の係止翼の裏地には平面ファスナーが設けられ、切込みを挟んで対向する前頭部材の側頭部の表地に設けられた平面ファスナーに着用者の頭部寸法に合わせて接続可能に形成されていることを特徴とする請求項１記載の保護帽子。
【請求項３】
前記後頭部材の左右係止翼は、左右の側頭部から頭頂部に向かって開口する二つの切込みで後頭部と分離されて形成され、その左右係止翼の裏地には、平面ファスナーが設けられ、切込みを挟んで対向する前記後頭部の先端左右端部の表地に設けられた平面ファスナーに着用者の頭部寸法に合わせて左右係止翼が接続可能に形成されていることを特徴とする請求項１又は２記載の保護帽子。
【請求項４】
前記前頭部材と後頭部材が一体に縫製された左右の縫製部分には、着用者の耳が嵌る耳掛部が頭部材と後頭部材に跨って縫着され、左右いずれかの耳掛部に前記顎紐部が取り付けられていることを特徴とする請求項１ないし３記載の保護帽子。
【請求項５】
前記前頭部材と後頭部材を一体に縫製する前記前後連結部分が、前頭部材の額部から延びた左右の耳掛部及び後頭部材の左右の耳掛部の上側に設けられ、
前頭部材の頭頂部から額部に向けて開口する二つの切込みで左右係止翼が形成され、一方の係止翼の裏地には平面ファスナーが設けられ、他方の係止翼の表地には平面ファスナーが設けられ、左右の係止翼を重ね、着用者の頭部寸法に合わせて接続可能に形成されていることを特徴とする請求項１記載の保護帽子。
【請求項６】
前記前頭部材の頭頂部から額部に向けて開口する二つの切込みで分離された頭頂部の先端裏地には平面ファスナーが設けられ、対向する後頭部材の頭頂部中央に設けられた平面ファスナーに着用者の頭部寸法に合わせて接続可能に形成されていることを特徴とする請求項５記載の保護帽子。
【請求項７】
前記後頭部材の左右係止翼は、左右の側頭部から頭頂部に向かって開口する二つの切込みで後頭部と分離されて形成され、その左右係止翼のそれぞれの先端表地に互いに他方の係止翼に延びた接続紐と、接続紐を係止するための紐通しを設け、前記後頭部を内側にして左右の接続紐を他方の係止翼の紐通しに挿入し、接続紐の表面に設けた平面ファスナーにより係止することにより、着用者の頭部寸法に合わせて左右係止翼が接続紐を介して接続可能に形成されていることを特徴とする請求項５記載の保護帽子。
【発明の詳細な説明】
【技術分野】
【０００１】
本発明は、転倒などによる頭部の傷害を防止するための、保護帽子に関する。
【背景技術】
【０００２】
日常生活、或いは歩行中に起きる不意の転倒は、後頭部や側頭部の強打により重大な障害を起こす恐れが高い。特に寒冷地では路面凍結による転倒事故が多発している。このような生活面での傷害防止のための保護帽子について、特許文献１が提案されている。
【０００３】
特許文献１には、ゴルフ用ハット或いは野球帽などの頭部全体を覆う布製の帽体の内部に、後頭部、頂部、側頭部を覆うように形成された四半球形の硬質樹脂製のシェルと、その内側に貼付されたスポンジ状緩衝材とから構成されている。
【０００４】
この発明によれば、日常生活で使用しても外観を損なわないデザインの自由度を有しており、硬質の保護材で衝撃を分散させる効果があり、通気性の確保が期待されていたが、後頭部或いは前頭部のみの保護に限る問題があった。また、帽体、シェルの寸法が着用者にあわせて用意するのが難しかった。
【０００５】
また、顔面や後頭部のみならず頭頂部をも保護することが可能な保護具として特許文献２が提案されている。この発明は、格闘技用の保護具であり、装着車の顔側に位置するフェースマスク部と、前頭部或いはその近傍から頭頂部を経由して後頭部まで延在する頭部保護マットを備え、フェースマスク部は、側頭部パットと、顎パットと、額パットを有し、長さ調節可能な接続具を介して側端部或いは顎部が接続されている。
【０００６】
この発明では、開口部が多く、装着者の頭部に合わせたサイズ調節が可能であるが、あくまでも格闘技の使用が前提であり、日常生活での装着は考慮されていない。
【０００７】
高齢社会を迎えた現在、足腰の弱った高齢者のリハビリ訓練や、日常生活での転倒事故対策、又はてんかんなどの発作の恐れがある患者が、装着可能で、軽量な、着用感に優れた保護帽子が求められていた。
【０００８】
【特許文献１】特開２００３−１２９３２４号公報（第２、３頁、第１図）
【特許文献２】特開２００４−２６７３１３号公報（第２、３頁、第１図）
【発明の開示】
【発明が解決しようとする課題】
【０００９】
前後左右及び頂頭部の頭部全体の保護が可能であり、多くの部位ごとにサイズ調整することができ、着用者の圧迫感を軽減し、日常的に又は長時間かぶることを可能にした保護帽子を提供することを課題とする。
【課題を解決するための手段】
【００１０】
前記課題を解決するため、本発明の保護帽子は、表地と裏地の間に衝撃吸収部材のある保護部材からなる保護帽子であって、
額を含む前頭部を覆う前頭部材と、後頭部を覆う後頭部材が前後連結されて一体化された本体と、それに接続される鍔部と、顎紐部とから構成され、
前頭部材、後頭部材のそれぞれの部材には、開口する複数の切込みにより区画された翼状の左右の係止翼が形成されて、
着用者の頭部の形状寸法に合わせて係止翼を対向する前頭部材および／あるいは後頭部材または対向する係止翼のそれぞれと調整可能に結合され、
保護部材の重複部分形成と共に前後左右の切込みによる複数の開口部分が形成されていることを特徴とする。
【００１１】
また、前記前頭部材の左右の係止翼は前頭部材の両側端部より頭頂部に向かって開口する二つの切込みで区画されて先端額部に形成され、左右の係止翼の裏地には平面ファスナーが設けられ、切込みを挟んで対向する前頭部材の側頭部の表地に設けられた平面ファスナーに着用者の頭部寸法に合わせて接続可能に形成されていることを特徴とする。
【００１２】
また、前記後頭部材の左右係止翼は、左右の側頭部から頭頂部に向かって開口する二つの切込みで後頭部と分離されて形成され、その左右係止翼の裏地には、平面ファスナーが設けられ、切込みを挟んで対向する前記後頭部の先端左右端部の表地に設けられた平面ファスナーに着用者の頭部寸法に合わせて左右係止翼が接続可能に形成されていることを特徴とする。
【００１３】
また、前記前頭部材と後頭部材が一体に縫製された左右の縫製部分には、着用者の耳が嵌る耳掛部が頭部材と後頭部材に跨って縫着され、左右いずれかの耳掛部に前記顎紐部が取り付けられていることを特徴とする。
【００１４】
また、前記前頭部材と後頭部材を一体に縫製する前記前後連結部分が、前頭部材の額部から延びた左右の耳掛部及び後頭部材の左右の耳掛部の上側に設けられ、
前頭部材の頭頂部から額部に向けて開口する二つの切込みで左右係止翼が形成され、一方の係止翼の裏地には平面ファスナーが設けられ、他方の係止翼の表地には平面ファスナーが設けられ、左右の係止翼を重ね、着用者の頭部寸法に合わせて接続可能に形成されていることを特徴とする。
【００１５】
また、前記前頭部材の頭頂部から額部に向けて開口する二つの切込みで分離された頭頂部の先端裏地には平面ファスナーが設けられ、対向する後頭部材の頭頂部中央に設けられた平面ファスナーに着用者の頭部寸法に合わせて接続可能に形成されていることを特徴とする。
【００１６】
また、前記後頭部材の左右係止翼は、左右の側頭部から頭頂部に向かって開口する二つの切込みで後頭部と分離されて形成され、その左右係止翼のそれぞれの先端表地に互いに他方の係止翼に延びた接続紐と、接続紐を係止するための紐通しを設け、前記後頭部を内側にして左右の接続紐を他方の係止翼の紐通しに挿入し、接続紐の表面に設けた平面ファスナーにより係止することにより、着用者の頭部寸法に合わせて左右係止翼が接続紐を介して接続可能に形成されていることを特徴とする。
【発明の効果】
【００１７】
この発明によれば、前頭部材、後頭部材のそれぞれの部材には、左右の切込みにより分離された翼状の左右の係止翼が形成されて、着用者の頭部の形状寸法に合わせてサイズ形状を調整可能にされているため、着用者の頭部にあわせて調整ができる。このため、圧迫感がなく、長時間の着用であっても不快感を与えない。  
【００１８】
また、前頭部、側頭部、或いは頭頂部に前記係止翼が本体部と係止されて保護部材が２重になる重複部分が形成されるため、転倒などの衝撃を吸収保護することができる。さらに、前後左右の切込みによる開口部分が形成されていることにより、頭部全体を覆う従来の帽子に比べ、通風がよく蒸れなどの不快感をなくすことができる。
【００１９】
また、保護部材に内装された衝撃吸収部材の均等厚さを薄く押さえ、転倒時に衝撃を受ける後頭部或は側頭部が二重の厚さとなるため、帽子としての総重量を少なく軽量化して、着用時の負担を軽くすることができる。
【００２０】
さらに、前記係止翼、及び顎紐、接続等の係止には、平面ファスナーが用いられているため、着脱、長さの調節を容易に行うことができる。
【００２１】
またさらに、軽量であり、サイズ調整が容易で、且つ外観が優れているので、介護を必要とする現場に限らず、一般利用者、自転車などの通学児童などに広く利用することができる。
【発明を実施するための最良の形態】
【００２２】
本発明の実施の形態を図に基づいて詳細に説明する。図１は、第１の実施の形態の保護帽子の本体１の展開図で、（ａ）は表面を示し、（ｂ）は裏面（着用者の頭部に接する面）を示す。
【００２３】
図１（ａ）を用いて、第１の実施の形態の構造を説明する。保護帽子は、本体１と、鍔部５０と、顎紐部３とから構成し、その本体１は、表地と裏地が縫合された袋状体の内部に、均等厚さに衝撃吸収部材を内装した保護部材からなる前頭部材１０と、後頭部材２０が前後縫製部分Ａで縫い合わされ一体化したものである。この縫製部分Ａの中央が頭頂部２６となる。前頭部材１０と後頭部材２０との連結部は、縫製に限るものではない。
【００２４】
顎紐部３は、前頭部材１０と後頭部材２０のそれぞれの左右側頭部１２、２２に跨って縫い付けられた耳掛部４のいずれか一方に通すように縫い付けられて、
紐の先端に平面ファスナーのフック材、中ほどにループ材を縫い付けて係合可能に形成されている。
【００２５】
前頭部材１０は、額部１１を含む先端の左右に係止翼１３が形成されて、切込み１４で側頭部１２と対向するようにされている。係止翼１３の裏地には平面ファスナーのフック１３ａが縫付けまたは貼付されている。（図１（ｂ）参照）
【００２６】
係止翼１３の裏地先端の平面ファスナーのフック１３ａは、切込み１４を挟んで対向する側頭部１２の表地に設けられた平面ファスナーのループ１２ａに係合可能に形成されている。この左右の係止翼１３と側頭部１２のファスナーを係合させることにより、前頭部の大きさに合わせたサイズ調節が可能となる。
【００２７】
なお、鍔部５０は、額部１１先端に設けた平面ファスナーのループ１１ａと鍔部５０の後端表面に設けた平面ファスナーのフック５０ａを接合させることにより着脱自在とし、鍔が必要でない場合は、外しておくことが可能にされている。
【００２８】
次に、後頭部材２０の構造を説明する。後頭部材２０は、左右の側頭部２２の延長が切込み２４により後頭部２５と対向するように分離されて左右の係止翼２３が形成されている。
【００２９】
係止翼２３の裏地には、その先端に平面ファスナーのフック２３ａが設けられ、後頭部２５の表地の左右先端に設けられた平面ファスナーのループ２５ａを係合させることにより、後頭部の大きさに合わせたサイズ調節が可能となる。
【００３０】
これら、係止翼１３と側頭部１２のファスナーの係合部分では、保護部材が二重となるため、側頭部の保護が強化されることとなる。また、係止翼２３と後頭部２５のファスナーの係合部分でも、保護部材が二重となるため、後頭部の保護が強化されることとなる。
【００３１】
すなわち、これら係止翼１３或いは係止翼２３は、サイズ調節により着用感を向上させると共に、転倒などの際の衝撃吸収力を確保する効果をあげるものである。また、保護部材に内装された衝撃吸収部材の均等厚さを薄く押さえ、転倒時に衝撃を受ける後頭部或は側頭部が二重の厚さとなるため、帽子としての総重量を少なく軽量化して、着用時の負担を軽くするものである。
【００３２】
図１（ｂ）は本体１の裏面、すなわち裏地側の展開図である。前頭部材１０の左右の係止翼１３には、先端部に平面ファスナーのフック１３ａが縫付け或は貼りつけて設けられている。また、後頭部材２０の左右の係止翼２３には、先端部に平面ファスナーのフック２３ａが縫付け或は貼りつけて設けられている。
【００３３】
鍔部５０は、後部に平面ファスナーのフック５０ａが設けられ、前頭部材１０の額部１１の裏地に設けられた平面ファスナーのループ１１ａに着脱自在とされており、不要な場合は外して着用することができる。
【００３４】
図２は、第１の実施の形態の保護帽子の組立状態を示し、（ａ）は側面図、（ｂ）は平面図、（ｃ）は底面図である。
【００３５】
図１の展開図に示した保護帽子と同一部分に同符号を付している。図２（ａ）の側面図で保護帽子の着用状態を説明する。
【００３６】
図２（ａ）に示すように、本体１は、縫製部分Ａを中心に前後、左右に折り曲げて頭を覆う帽子となる形状にされ、前頭部では係止翼１３を側頭部１２の平面ファスナーに接合することにより、切込み１４が開口部となり、また後頭部では係止翼２３を後頭部２５の平面ファスナーに接合することにより、切込み２４が開口部となり通気性を確保することができる。
【００３７】
図２（ｂ）は、頭上から見た本体１、図２（ｃ）は裏側から見た本体１の組立状態を示す図である。
【００３８】
次に、本発明の第２の実施の形態を図３及び図４を参照して説明する。
【００３９】
図３は第２の実施の形態の本体２の構成を示し、（ａ）はその前頭部材３０の展開図、（ｂ）は後頭部材４０の展開図、（ｃ）は鍔部５０の展開図、（ｄ）は顎紐部３の平面図、（ｅ）は顎紐係止部３ａの平面図である。
【００４０】
この前頭部材３０と後頭部材４０を一体に縫製する前後の縫製部分Ｂは、前頭部材３０の額部３１から延びた左右の耳掛部４ａ及び後頭部材４０の左右の耳掛部４ｂの上側に設けられ、前頭部材３０と後頭部材４０を湾曲させて中央にくる縫製部分Ｂを縫い合わせて本体２を形成する。
【００４１】
一体化された本体２の前後の耳掛部４ａ、４ｂには、左右いずれか一方に図３（ｄ）に示す顎紐止め部３ｂを縫付け、耳掛部４ａ、４ｂが閉じた耳掛け孔を形成すると共に、顎紐とその止め具を取り付ける。
【００４２】
前記、前頭部材３０には、頭頂部３６から額部３１に向けて形成された二つの切込み３４で左右係止翼３３が形成され、一方の係止翼３３の裏地には平面ファスナーのループ３３ａが設けられ、他方の係止翼３３の表地には平面ファスナーのフック３３ｂが設けられ、左右の係止翼３３を重ね、着用者の頭部寸法に合わせて接続可能に形成されている。
【００４３】
また、左右の係止翼３３に挟まれ、奥が略楕円形の切込み３４、３４に挟まれた頭頂部３６の先端の裏地には平面ファスナーのフック３６ａが設けられ、後述する後頭部材４０の頭頂部４６中央に設けられた平面ファスナーのループ４６ａと着用者の頭部寸法に合わせて接続可能にされている。
【００４４】
前記後頭部材４０には、左右の側頭部４２から頭頂部４６に向かって形成された切込み４４で後頭部４５と分離された左右係止翼４３が形成されている。
【００４５】
その左右係止翼４３のそれぞれの先端表地に互いに他方の係止翼４３に延びた接続紐５と、接続紐５を係止するための紐通し６を設け、前記後頭部４５を内側にして左右の接続紐５を他方の係止翼４３の紐通し６に挿入し、接続紐５の表面に設けた平面ファスナーにより係止することにより、着用者の頭部寸法に合わせて左右係止翼４３が接続紐５を介して接続可能に形成されている。
【００４６】
なお、接続紐５の先端と、中間部には平面ファスナーのフック及びループが貼り付けられており、接続紐５を紐通し６に挿入して頭部のサイズに合わせて接続紐を折りまげてファスナーで固定する。
【００４７】
図３（ｃ）の鍔部５０は、鍔部の後端部に平面ファスナーのフック５０ａが設けられ、前頭部材３０或は１０の額部１１或は３１に設けられた平面ファスナーのフック部に着脱自在に取り付けられる。すなわち、鍔部５０は第１の実施の形態と第２の実施の形態で共通して取り付けできる。
【００４８】
図４は、本発明の第２の実施の形態の保護帽子の組立状態を示し、（ａ）は側面図、（ｂ）は平面図で、（ｃ）は底面図である。
【００４９】
図４（ａ）に示すように、本体２は、前頭部材３０と後頭部材４０を丸めて縫製部分Ｂを合わせて一体化し頭を覆う帽子となる形状にされ、左右の係止翼３３を頭頂部分で重ねて平面ファスナーで着用者の頭部寸法に合わせて接続している。
【００５０】
また、頭頂部３６は、後頭部材４０の頭頂部４６に着用者の頭部寸法に合わせて接続されている。
【００５１】
後頭部４５は、左右から延びる接続紐５が、左右の係止翼４３の紐通し６に挿入されて、頭部のサイズに合わせて固定されている。
【００５２】
この形態では、頭部に切込み３４による４箇所の開口が形成され、また、後頭部には切込み４４により２箇所の開口が形成されるため、通気性が高く、蒸れを防止できる。
【００５３】
なお、図４（ｂ）、（ｃ）はその平面図及び底面図であり、同一部分には同一符号を付して説明を省略する。
【００５４】
図５は、本発明の保護部材の断面模式図である。
【００５５】
本発明の本体を構成する保護部材は、表地７と裏地８が袋状に縫製されて、内部に衝撃吸収部材９が均等厚さに内装されている。
【００５６】
この表地７及び裏地８は、通気性に優れたポリエステルを用いるのが望ましい。
【００５７】
衝撃吸収部材９としては、ポリスチレンエラストマー及びまたはポリエステルタテアミメッシュ等で構成されるが、衝撃吸収材の構成はこれに限定するものではない。
【図面の簡単な説明】
【００５８】
【図１】本発明の第１の実施の形態の保護帽子の本体１の展開図で、（ａ）は表面を示し、（ｂ）は裏面（着用者の頭部に接する面）を示す展開図である。
【図２】本発明の第１の実施の形態の保護帽子の組立状態を示し、（ａ）は側面図、（ｂ）は平面図、（ｃ）は底面図である。
【図３】本発明の第２の実施の形態の本体２の構成を示し、（ａ）はその前頭部材３０の展開図、（ｂ）は後頭部材４０の展開図、（ｃ）は鍔部５０の展開図、（ｄ）は顎紐部３の平面図、（ｅ）は顎紐係止部３ａの平面図である。
【図４】本発明の第２の実施の形態の保護帽子の組立状態を示し、（ａ）は側面図、（ｂ）は平面図で、（ｃ）は底面図である。
【図５】本発明の保護部材の断面模式図である。
【符号の説明】
【００５９】
Ａ    縫製部分
Ｂ    縫製部分
１    本体
２    本体
３    顎紐部
３ａ  顎紐係止部
３ｂ  顎紐止め部
４    耳掛部
４ａ、４ｂ  耳掛部
５    接続紐
６    紐通し
７    表地
８    裏地
９    衝撃吸収部材
１０    前頭部材
１１    額部
１１ａ  平面ファスナーのループ
１２    側頭部
１２ａ  平面ファスナーのループ
１３    係止翼
１３ａ  平面ファスナーのフック
１４    切込み
２０    後頭部材
２１    額部
２２    側頭部
２４    切込み
２３    係止翼
２３ａ  平面ファスナーのフック
２５    後頭部
２５ａ  平面ファスナーのループ
２６    頭頂部
３０    前頭部材
３１    額部
３３    係止翼
３３ａ  平面ファスナーのループ
３３ｂ  平面ファスナーのフック
３４    切込み
３６    頭頂部
３６ａ  平面ファスナーのフック
４０    後頭部材
４３    係止翼
４４    切込み
４５    後頭部
４６    頭頂部
５０    鍔部
５０ａ  平面ファスナーのフック
【図１】
2006124875.tif 000003
【図２】
2006124875.tif 000004
【図３】
2006124875.tif 000005
【図４】
2006124875.tif 000006
【図５】
2006124875.tif 000007